(57)【要約】【課題】導電層の形成が容易な窓用積層板の提供。【解決手段】第１透明板、前記第１透明板に対向する第２透明板、ならびに前記第１透明板および前記第２透明板を接合する中間膜を有する車両用合わせ板と、少なくとも一部が前記第１透明板と前記第２透明板との間に配設される導電層と、前記導電層を保持する絶縁シートと含む積層シートと、を有し、前記導電層は、導電線と、前記導電線に給電する給電電極とを有し、且つ一体に形成され、前記積層シートの一部が、前記給電電極と共に、前記車両用合わせ板の内部から外部に取り出され、前記積層シートは、前記車両用合わせ板の上中央部に前記導電線を有し、前記積層シートは、前記車両用合わせ板を加熱する発熱シートである、窓用積層板。【選択図】図７
2020186169.tif 000002
【特許請求の範囲】
【請求項１】
第１透明板、前記第１透明板に対向する第２透明板、ならびに前記第１透明板および前記第２透明板を接合する中間膜を有する車両用合わせ板と、
少なくとも一部が前記第１透明板と前記第２透明板との間に配設される導電層と、前記導電層を保持する絶縁シートと含む積層シートと、
を有し、
前記導電層は、導電線と、前記導電線に給電する給電電極とを有し、且つ一体に形成され、
前記積層シートの一部が、前記給電電極と共に、前記車両用合わせ板の内部から外部に取り出され、
前記積層シートは、前記車両用合わせ板の上中央部に前記導電線を有し、
前記積層シートは、前記車両用合わせ板を加熱する発熱シートである、窓用積層板。
【請求項２】
前記積層シートは、前記車両用合わせ板の上中央部にのみ前記導電線を有する、請求項１に記載の窓用積層板。
【請求項３】
車載カメラが前記車両用合わせ板の前記上中央部を介して車外を撮像するよう配置されている、請求項１または２に記載の窓用積層板。
【請求項４】
前記給電電極は、前記導電線よりも高い導電率を有する、請求項１〜３のいずれか１項に記載の窓用積層板。
【請求項５】
前記絶縁シートは、前記導電層の両側に配設されている、請求項１〜４のいずれか１項に記載の窓用積層板。
【請求項６】
前記導電層は、複数の前記給電電極を有し、
前記導電線は、その両端が複数の前記給電電極に接続されるループ形状である、請求項１〜５のいずれか１項に記載の窓用積層板。
【請求項７】
前記窓用積層板は、湾曲形状である、請求項１〜６のいずれか１項に記載の窓用積層板。
【請求項８】
前記第１透明板は、前記第２透明板よりも車外側に配設され、
前記積層シートは、前記第１透明板と前記中間膜との間に配設され、且つ前記第１透明板と前記第２透明板の間において前記中間膜に接合される、請求項１〜７のいずれか１項に記載の窓用積層板。
【請求項９】
前記第１透明板は、前記第２透明板よりも車外側に配設され、
前記積層シートは、前記第２透明板と前記中間膜との間に配設され、且つ前記第１透明板と前記第２透明板の間において前記中間膜に接合される、請求項１〜７のいずれか１項に記載の窓用積層板。
【請求項１０】
前記中間膜は複数層構造であり、
前記積層シートは、前記中間膜の内部に配設されている、請求項１〜７のいずれか１項に記載の窓用積層板。
【請求項１１】
第１透明板、前記第１透明板に対向する第２透明板、ならびに前記第１透明板および前記第２透明板を接合する中間膜を有する車両用合わせ板と、少なくとも一部が前記第１透明板と前記第２透明板との間に配設される導電層とを有する窓用積層板の製造方法であって、
前記第２透明板よりも車外側に配設される前記第１透明板と前記第２透明板とを前記中間膜により接合する接合工程を有し、
前記接合工程において、前記導電層と前記導電層を保持する絶縁シートとを含む積層シートを、前記第１透明板と前記第２透明板との間において前記中間膜に接合させ、
前記導電層は、導電線と、前記導電線に給電する給電電極とを有し、且つ一体に形成され、
前記絶縁シートの一部が、前記給電電極と共に、前記車両用合わせ板の内部から外部に取り出され、
前記積層シートは、前記車両用合わせ板の上中央部に前記導電線を有するように配置され、
前記積層シートは、前記車両用合わせ板を加熱する発熱シートである、窓用積層板の製造方法。
【請求項１２】
前記積層シートは、前記車両用合わせ板の上中央部にのみ前記導電線を有する、請求項１１に記載の窓用積層板の製造方法。
【発明の詳細な説明】
【技術分野】
【０００１】
本発明は、窓用積層板、および窓用積層板の製造方法に関する。
【背景技術】
【０００２】
窓用積層板の代表例である車両用の窓ガラスにおいて、合わせガラスと、合わせガラスの内部に配設される導電層とを有するものが知られている（例えば、特許文献１参照）。導電層は、例えば発熱回路を有し、窓ガラスに付いた氷や雪の融解、結露による窓ガラスの曇りの除去などに用いられる。
【先行技術文献】
【特許文献】
【０００３】
【特許文献１】特開２０１２−１４００８６号公報
【発明の概要】
【発明が解決しようとする課題】
【０００４】
従来、導電層は、ガラス板の表面の一部に導電ペーストを塗布し、焼成することで形成していた。その場合、導電ペーストとガラス板との熱膨張差に起因する応力がガラス板に生じやすく、強度が低下するおそれがあった。
【０００５】
ところで、このような課題は、窓ガラスの場合のみならず、窓用樹脂板においても同様に生じる。
【０００６】
本発明は、上記課題に鑑みてなされたものであって、強度が低下しにくい窓用積層板の提供を主な目的とする。
【課題を解決するための手段】
【０００７】
上記課題を解決するため、本発明の一態様によれば、
第１透明板、前記第１透明板に対向する第２透明板、ならびに前記第１透明板および前記第２透明板を接合する中間膜を有する車両用合わせ板と、
少なくとも一部が前記第１透明板と前記第２透明板との間に配設される導電層と、前記導電層を保持する絶縁シートと含む積層シートと、
を有し、
前記導電層は、導電線と、前記導電線に給電する給電電極とを有し、且つ一体に形成され、
前記積層シートの一部が、前記給電電極と共に、前記車両用合わせ板の内部から外部に取り出され、
前記積層シートは、前記車両用合わせ板の上中央部に前記導電線を有し、
前記積層シートは、前記車両用合わせ板を加熱する発熱シートである、窓用積層板が提供される。
【発明の効果】
【０００８】
本発明の一態様によれば、強度が低下しにくい窓用積層板が提供される。
【図面の簡単な説明】
【０００９】
【図１】一実施形態による窓ガラスの正面図であって、積層シートの構造を透視して示す図である。
【図２】一実施形態による窓ガラスの下部の断面図である。
【図３】一実施形態による積層シートの断面図である。
【図４】一実施形態による窓ガラスの製造方法を示すフローチャートである。
【図５】第１変形例による積層シートの正面図である。
【図６】第２変形例による積層シートの正面図である。
【図７】第３変形例による積層シートの正面図である。
【図８】第４変形例による積層シートの正面図である。
【発明を実施するための形態】
【００１０】
以下、本発明を実施するための形態について図面を参照して説明する。各図面において、同一の又は対応する構成には、同一の又は対応する符号を付して説明を省略する。
【００１１】
尚、以下の実施形態において、窓用積層板の一例として、窓ガラスの場合について述べる。
【００１２】
図１は、一実施形態による窓ガラスの正面図であって、積層シートの構造を透視して示す図である。図２は、一実施形態による窓ガラスの下部の断面図である。図３は、一実施形態による積層シートの断面図である。
【００１３】
窓ガラスは、窓に取り付けられる。窓は、建物の窓、乗り物の窓のいずれでもよいが、例えば車両の窓である。窓ガラスは、車両のフロントウィンドガラスであってよい。窓ガラスは、合わせ板としての合わせガラス１０と、積層シート２０とを有する。
【００１４】
合わせガラス１０は、図２に示すように、第１透明板としての第１ガラス板１１、第２透明板としての第２ガラス板１２、および中間膜１３を有する。合わせガラス１０は、車両のボディに沿って湾曲している。尚、合わせガラス１０は、用途に応じた形状であればよく、平らでもよい。
【００１５】
第１ガラス板１１は、第２ガラス板１２よりも車外側に配設される。第１ガラス板１１および第２ガラス板１２は、例えばフロート法などにより板状に成形された後、重力成形またはプレス成形などにより高温で曲げ成形される。第１ガラス板１１および第２ガラス板１２は、未強化ガラス、強化ガラスのいずれでもよい。強化ガラスは、熱強化ガラス、化学強化ガラスのいずれでもよい。
【００１６】
中間膜１３は、第１ガラス板１１と第２ガラス板１２とを接合する。中間膜１３は、一般的な樹脂、例えばポリビニルブチラール樹脂（ＰＶＢ）、エチレン−酢酸ビニル共重合樹脂（ＥＶＡ）などにより形成される。中間膜１３は、単層構造、複数層構造のいずれでもよい。
【００１７】
尚、合わせガラス１０を構成するガラス板の枚数は、２枚に限定されず、３枚以上でもよい。中間膜１３は、３枚以上のガラス板を接合するため、２枚以上用いられてもよい。
【００１８】
積層シート２０は、第１ガラス板１１と第２ガラス板との間に挿入され、中間膜１３によって固定される。積層シート２０は、例えば合わせガラス１０を加熱する発熱シートであってよい。発熱シートは、窓ガラスに付いた氷や雪の融解に用いられる。氷や雪は窓ガラスの車外側の表面に付くため、第１ガラス板１１と中間膜１３との間に発熱シートが配設されていると、氷や雪が効率的に融解できる。
【００１９】
尚、本実施形態の発熱シートは、窓ガラスに付いた氷や雪を溶解させるデアイサーとして用いられるが、結露による窓ガラスの曇りを除去するデフォッガーとして用いられてもよい。結露は窓ガラスの車内側の表面に付くため、第２ガラス板１２と中間膜１３との間に発熱シートが配設されていると、曇りが効率的に除去できる。発熱シートの位置は、目的に応じて変更されてよい。中間膜１３が複数層構造の場合、中間膜１３の内部に発熱シートが配設されてもよい。
【００２０】
積層シート２０は、図１および図３に示すように、複数の導電線２１、複数の給電電極２２、および複数の絶縁シート２３を有してよい。
【００２１】
導電線２１は、第１ガラス板１１と第２ガラス板１２との間に配設され、図１に示すように合わせガラス１０の内部に配設される。導電線２１は、給電によって発熱する発熱回路を形成する。導電線２１は、窓ガラスの下縁部と、窓ガラスの側縁部との両方に配設されてよい。
【００２２】
窓ガラスには、ワイパーが取付けられる。ワイパーは、窓ガラスの下縁部の待機位置と、窓ガラスの側縁部の反転位置との間を揺動し、窓ガラスの車外側の表面に付いた雨などの汚れを拭き取る。
【００２３】
導電線２１は、窓ガラスの下縁部と、窓ガラスの側縁部との両方に配設されているので、ワイパーの待機位置と反転位置の両方を加熱できる。尚、導電線２１は、１つでもよく、例えば窓ガラスの下縁部のみに配設されてもよい。
【００２４】
導電線２１は、互いに隣り合う複数の線状部２１ａ、２１ｂと、複数の線状部２１ａ、２１ｂを接続する折返し部２１ｃとを有してよい。導電線２１の途中に折返し部２１ｃが形成されることで、複数の給電電極２２を合わせガラス１０の一箇所にまとめて配置できる。よって、合わせガラス１０の一箇所から、複数の給電電極２２をまとめて取り出すことができる。
【００２５】
導電線２１は、その両端が、隣り合う複数の給電電極２２に接続されるループ形状であってよい。導電線２１の一端は正の給電電極２２に接続され、導電線２１の他端は負の給電電極２２に接続され、正の給電電極２２と負の給電電極２２とが隣り合う。
【００２６】
給電電極２２は、導電線２１に給電する。導電線２１の両端部に、それぞれ、給電電極２２が形成される。導電線２１が複数形成される場合、複数の導電線２１が同じ給電電極２２を利用してもよい。給電電極２２の数を削減できる。
【００２７】
給電電極２２は、発熱を抑制するため、導電線２１よりも高い導電率を有し、例えば導電線２１よりも広い幅を有する。尚、給電電極２２は、導電線２１よりも高い導電率を有していればよく、例えば導電線２１よりも厚い厚さを有してもよい。
【００２８】
複数の導電線２１および複数の給電電極２２によって導電層が構成される。尚、上述の如く、導電線２１の数は１つでもよく、１つの導電線２１および複数の給電電極２２によって導電層が構成されてもよい。
【００２９】
導電層は、導電性材料で形成され、例えば金属で形成される。金属としては、特に限定されないが、例えば、金、銀、ニッケル、銅、アルミニウム、錫、コバルト、またはこれらの元素のうちの少なくとも１つの元素を含む合金などが用いられる。
【００３０】
導電層は、例えば金属箔をパターン加工して、一体に形成されてよい。この場合、導電層は、図３に示すように接合層２４によって絶縁シート２３に接合されてよい。接合層２４は、例えば接着剤などにより形成される。
【００３１】
尚、導電層は、絶縁シート２３の表面に金属膜を成膜することで形成されてもよい。金属膜は、蒸着、スパッタリング、金属ペーストなどの導電ペーストの焼成などにより成膜される。金属膜は、成膜後に所望のパターンに加工されてもよいし、成膜時に所望のパターンに形成されてもよい。前者のパターン加工にはフォトリソグラフィ法やエッチング法などが用いられ、後者のパタ−ン形成にはマスキングテープまたはスクリーン印刷などが用いられる。
【００３２】
絶縁シート２３は、絶縁性材料で形成され、例えば樹脂で形成される。樹脂はフレキシブル性に優れる。樹脂としては、特に限定されないが、例えば、ポリエチレンテレフタレート、ポリプロピレン、ポリエチレン、ポリイミドなどが用いられる。尚、絶縁シート２３は、紙で形成されてもよい。複数の絶縁シート２３が用いられる場合、一の絶縁シート２３と他の絶縁シート２３とは同じ材料で形成されてもよいし異なる材料で形成されてもよい。
【００３３】
絶縁シート２３は、導電層を保持する。導電層の形状が維持でき、導電層の損傷が抑制できる。運搬や保管などの取り扱いが容易である。
【００３４】
絶縁シート２３は、図１に示すように導電層よりも大きく形成されてよい。つまり、絶縁シート２３は、導電層の全体を保持してよい。
【００３５】
絶縁シート２３には、図１および図３に示すように貫通穴２３ａが形成されてもよい。貫通穴２３ａには中間膜１３が入り込み、中間膜１３が貫通穴２３ａを通じて第１ガラス板１１と第２ガラス板１２とを接合する。貫通穴２３ａは、図１に示すように隣り合う複数の給電電極２２の間に形成されてよい。また、貫通穴２３ａは、図１に示すように隣り合う複数の線状部２１ａ、２１ｂの間に形成されてよい。また、貫通穴２３ａは、ループ形状の導電線２１の内側に形成されてよい。ここで、導電線２１の内側とは、導電線２１およびその両端を結ぶ直線からなる境界線の内側を意味する。さらに、貫通穴２３ａは、不図示の隣り合う複数の導電線２１の間に形成されてもよい。例えば、貫通穴２３ａは、窓ガラスの下縁部において上下方向に並ぶ複数の導電線２１の間に配設されてもよい。
【００３６】
絶縁シート２３は、複数の給電電極２２と共に、合わせガラス１０の内部から外部に取り出されてよい。合わせガラス１０の外部において、複数の給電電極２２の形状を維持でき、複数の給電電極２２の損傷を抑制できる。
【００３７】
絶縁シート２３は、導電層の片側（例えば車外側または車内側）のみに配設されてもよいが、図３に示すように両側（例えば車外側および車内側）にそれぞれ配設されてもよく、導電層を挟み込んでよい。両側から導電層を保護できる。
【００３８】
複数の絶縁シート２３は、シート接合層２５により接合されてよい。シート接合層２５は、粘着剤などにより形成される。シート接合層２５は、導電層に対して剥離可能とされてもよい。絶縁シート２３の除去が可能である。シート接合層２５には貫通穴２５ａが形成されてもよい。シート接合層２５の貫通穴２５ａは、絶縁シート２３の貫通穴２３ａとつながっており、中間膜１３が入り込む。
【００３９】
一方の絶縁シート２３における他方の絶縁シート２３との対向面には、剥離剤層２６が形成されてもよい。剥離剤層２６は、接合層２４およびシート接合層２５と、一方の絶縁シート２３との間に配設され、これらの間での剥離を可能とする。絶縁シート２３の除去が可能である。剥離剤層２６には貫通穴２６ａが形成されてもよい。剥離剤層２６の貫通穴２６ａは、絶縁シート２３の貫通穴２３ａとつながっており、中間膜１３が入り込む。
【００４０】
尚、本実施形態では、絶縁シート２３を除去することなくそのまま窓ガラスに使用するので、接合層２４およびシート接合層２５に対し一方の絶縁シート２３は剥離不能とされてもよく、これらの間に剥離剤層２６が形成されなくてもよい。同じ理由で、シート接合層２５は導電層に対して剥離不能とされてもよい。絶縁シート２３の一部を除去し絶縁シート２３の残部を窓ガラスに使用する技術については後述する。
【００４１】
絶縁シート２３は、黒色などの暗色に着色されてもよく、不透明であってもよい。導電層を片側または両側から隠すことができる。尚、絶縁シート２３が透明である場合、黒色などの暗色の遮蔽層が積層シート２０に備えられてもよい。遮蔽層は、導電層の片側または両側に形成されてよい。遮蔽層は、顔料またはメッキなどで形成される。
【００４２】
図４は、一実施形態による窓ガラスの製造方法を示すフローチャートである。窓ガラスの製造方法は、積層工程Ｓ１１と、接合工程Ｓ１２とを有する。
【００４３】
積層工程Ｓ１１では、第１ガラス板１１と第２ガラス板１２とを中間膜１３を介して重ね合せる。このとき、第１ガラス板１１と第２ガラス板１２との間に、積層シート２０が配設される。積層シート２０は、第１ガラス板１１と中間膜１３との間に配設されるが、第２ガラス板１２と中間膜１３との間に配設されてもよい。また、中間膜１３が複数層構造の場合、中間膜１３の内部に積層シート２０が配設されてもよい。導電線２１は第１ガラス板１１と第２ガラス板１２との間に配設され、給電電極２２および絶縁シート２３は第１ガラス板１１と第２ガラス板１２との間から外部に取り出されてよい。
【００４４】
接合工程Ｓ１２では、熱圧着などにより、第１ガラス板１１と第２ガラス板１２とを中間膜１３により接合させる。このとき、絶縁シート２３が、第１ガラス板１１と第２ガラス板１２との間において、中間膜１３に接合される。これにより、図１および図２に示す窓ガラスが得られる。窓ガラスは、合わせガラス１０および積層シート２０を有する。
【００４５】
以上説明したように、本実施形態によれば、絶縁シート２３は、導電層を保持しており、第１ガラス板１１と第２ガラス板１２との間において中間膜１３に接合される。よって、従来のように第１ガラス板１１の車内側の表面に導電ペーストを塗布し焼成することで導電層を形成する場合とは異なり、導電層の形成に第１ガラス板１１よりも大きいスペースが不要であり、導電層の形成が容易である。また、従来の導電層の形成とは異なり、導電ペーストとガラス板との熱膨張差に起因する応力がガラス板に生じない。よって、ガラス板の割れが抑制できる。これらの効果は、導電層が合わせガラス１０の内部から外部に取り出されていなくても得られる。
【００４６】
また、本実施形態によれば、絶縁シート２３の一部が、導電層と共に、合わせガラス１０の内部から外部に取り出される。よって、下記（１）〜（３）の効果が得られる。（１）従来のように第１ガラス板１１の車内側の表面に導電ペーストを塗布し焼成することで導電層を形成する場合とは異なり、導電層を車内側に露出させる切欠きが第２ガラス板１２に不要になる。切欠きは、従来、導電層に対し端子または導線を半田付けするために必要とされていた。一方、本実施形態によれば、切欠きが不要になるため、合わせガラス１０の車内側の表面に段差がなくなり、合わせガラス１０と車両のボディとの間のシールが容易になる。（２）導電層が合わせガラス１０の外部に取り出されているため、合わせガラス１０の外部において導電層に対する端子または導線の半田付けが可能である。半田付けに、半田とガラスとの熱膨張差に対する配慮が不要になる。図２では、合わせガラス１０の外部において給電電極２２に対しワイヤハーネス３１の電線を半田３２で接続してある。（３）合わせガラス１０の外部において、絶縁シート２３が導電層の形状を維持でき、導電層の損傷が抑制できる。
【００４７】
さらに、本実施形態によれば、絶縁シート２３の一部が、給電電極２２と共に、合わせガラス１０の内部から外部に取り出される。よって、合わせガラス１０の内部のみに導電線２１が配設でき、外力による導電線２１の位置ずれが抑制でき、また、合わせガラス１０の外部での発熱が防止できる。
【００４８】
また、第１ガラス板１１および第２ガラス板１２は、湾曲形状である場合、上述の如く高温で曲げ成形される。本実施形態によれば、第１ガラス板１１および第２ガラス板１２の曲げ成形後に、導電層を含む積層シート２０が中間膜１３によって固定される。よって、従来のようにガラス板を高温で曲げ成形すると共にガラス板の表面に塗布された導電ペーストを焼成する場合と異なり、焼成により、導電ペーストとガラス板との熱膨張差に起因する応力がガラス板に生じない。よって、第１ガラス板１１および第２ガラス板１２の割れが抑制でき、かつ導電層の形成が容易となる。
【００４９】
特に、導電線２１がガラス板の外周縁に沿って外周縁の内側に配置される場合には、従来のように、ガラス板を高温で曲げ成形すると共にガラス板の表面に塗布された導電ペーストを焼成する場合に生じうる以下の課題を解消できる。すなわち、従来、ガラス板の厚さ方向の投影視で、導電ペーストとの熱膨張差によってガラス板に応力が発生する領域と、曲げ成形後の冷却によってガラス板に内部引張応力（いわゆるインナーテンション）が発生する領域とが重複し、導電ペーストの周囲でガラス板の強度が低下するという課題があった。本実施形態によれば、ガラス板上で導電ペーストを焼成しないので、この課題を解消できる。
【００５０】
なお、インナーテンションとは、当業者であれば容易に理解できるように、軟化点付近まで加熱したガラス板を冷却した際に、ガラス板の外周縁の内側に形成されるものである。ガラス板は、外周縁から冷却され、ガラス板の外周縁にエッジコンプレッションが形成される。エッジコンプレッションの対としてガラス板の外周縁の内側にインナーテンションが形成される。
【００５１】
さらに、本実施形態によれば、絶縁シート２３には貫通穴２３ａが形成され、貫通穴２３ａには中間膜１３が入り込み、中間膜１３は貫通穴２３ａなどを通じて第１ガラス板１１と第２ガラス板１２とを接合する。よって、絶縁シート２３を強固に保持できる。また第１ガラス板１１と第２ガラス板１２との接合強度が向上できる。
【００５２】
貫通穴２３ａは、隣り合う複数の給電電極２２の間に形成されてよい。給電電極２２の付近において、絶縁シート２３を強固に保持できる。また第１ガラス板１１と第２ガラス板１２との接合強度が向上できる。また、給電電極２２が絶縁シート２３と共に合わせガラス１０の内部から外部に取り出される場合、合わせガラス１０に対する絶縁シート２３の取出位置のぐらつきが抑制できる。
【００５３】
貫通穴２３ａの少なくとも一部は、合わせガラス１０の周縁領域に位置してもよい。周縁領域とは、合わせガラスの外周縁から面内側に一定の幅を占める領域を指す。その幅は、例えば５０ｍｍ程度である。これにより、給電電極２２が絶縁シート２３と共に合わせガラス１０の内部から外部に取り出される場合、合わせガラス１０に対する絶縁シート２３の取出位置のぐらつきが抑制できる。
【００５４】
貫通穴２３ａは、特に、導電線２１がデアイサーやデフォッガーとして用いられる場合に好適に用いられる。その理由は、以下による。すなわち、導電線２１がデアイサーやデフォッガーとして用いられる場合、導電線２１がアンテナ線として用いられる場合と比較して、給電電極２２の厚みは厚いことが求められる。給電電極２２の厚みが厚いと、給電電極２２の周囲において、中間膜１３が第１ガラス板１１と第２ガラス板１２とを充分に接合できず、積層シート２０は合わせガラスから引き抜かれやすい又はぐらつきやすいという懸念がある。貫通穴２３ａにより、この懸念を低減できる。
【００５５】
貫通穴２３ａは、導電線２１を構成する隣り合う複数の線状部２１ａ、２１ｂの間に形成されてよい。導電線２１の付近において、絶縁シート２３を強固に保持できる。また第１ガラス板１１と第２ガラス板１２との接合強度が向上できる。
【００５６】
貫通穴２３ａは、ループ形状の導電線２１の内側に形成されてよい。ループ形状の導電線２１の内側において、絶縁シート２３を強固に保持できる。また第１ガラス板１１と第２ガラス板１２との接合強度が向上できる。
【００５７】
貫通穴２３ａは、不図示の隣り合う複数の導電線２１の間に形成されてもよい。例えば、貫通穴２３ａは、窓ガラスの下縁部において上下方向に並ぶ複数の導電線２１の間に配設されてもよい。隣り合う複数の導電線２１の間において、絶縁シート２３を強固に保持できる。また第１ガラス板１１と第２ガラス板１２との接合強度が向上できる。
【００５８】
以上、窓ガラスの実施形態などについて説明したが、本発明は上記実施形態などに限定されず、特許請求の範囲に記載された本発明の要旨の範囲内において、種々の変形、改良が可能である。
【００５９】
図５は、第１変形例による積層シートの正面図である。図５において、合わせガラスの位置を二点鎖線で示す。図５に示す積層シート２０Ａは、図１に示す積層シート２０から、複数の絶縁シート２３のそれぞれの一部を除去することで得られる。複数の絶縁シート２３のそれぞれの残部が窓ガラスに使用される。絶縁シート２３を強固に保持できる。また第１ガラス板１１と第２ガラス板１２との接合強度が向上できる。
【００６０】
図５に示す積層シート２０Ａは、例えば下記（Ａ）〜（Ｃ）の工程により得られる。下記（Ａ）〜（Ｃ）の工程は、この順で実施される。（Ａ）図１に示す積層シート２０から、図３に示す一方の絶縁シート２３の一部および剥離剤層２６の一部を除去して接合層２４を露出させる。（Ｂ）接合層２４を第１ガラス板１１に付着させ、第１ガラス板１１に対し導電層を固定する。（Ｃ）他方の絶縁シート２３の一部をシート接合層２５の一部と共に除去する。これにより、積層シート２０Ａ付きの第１ガラス板１１が得られる。積層シート２０Ａ付きの第１ガラス板１１は、積層工程Ｓ１１に供される。（Ｃ）の工程の前に導電層が第１ガラス板１１に対し固定されるので、（Ｃ）の工程により他方の絶縁シートの一部が除去された後も、導電層の形状崩れが抑制できる。尚、接合層２４は、第１ガラス板１１に付着されるが、第２ガラス板１２または中間膜１３に付着されてもよい。この場合、積層シート２０Ａ付きの第２ガラス板１２、または積層シート２０Ａ付の中間膜１３が積層工程Ｓ１１に供される。また、接合層２４は、上述の如く、導電層としての金属箔を絶縁シート２３に接合させる役割も有するが、この役割を有しなくてもよい。上述の如く導電層が一方の絶縁シート２３の表面に成膜される場合、接合層２４は（Ｃ）の工程の前に導電層を第１ガラス板１１などに対し固定する目的で使用される。
【００６１】
図５に示す積層シート２０Ａにおける絶縁シート２３は、導電線２１のうちの給電電極２２の近傍部分、および給電電極２２の全体を保持する。尚、積層シート２０Ａにおける絶縁シート２３は、導電線２１を保持するが、導電線２１を保持しなくてもよい。また、積層シート２０Ａにおける絶縁シート２３は、給電電極２２の全体を保持するが、給電電極２２の一部のみを保持してもよい。
【００６２】
図６は、第２変形例による積層シートの正面図である。図６において、合わせガラスの位置を二点鎖線で示す。図６に示す積層シート２０Ｂは、図１に示す積層シート２０とは、窓ガラスの下縁部や窓ガラスの側縁部だけではなく、窓ガラスの上中央部にも導電線２１を有する点で相違する。車載カメラが窓ガラスの上中央部を介して車外を撮像する場合に有効である。窓ガラスの上中央部に配設される導電線２１と、窓ガラスの側縁部に配設される導電線２１とは、接続線２７により電気的に接続されてよい。接続線２７は、発熱を抑制するため、給電電極２２と同様に、導電線２１よりも高い導電率を有し、例えば導電線２１よりも広い幅を有する。接続線２７は、導電層に含まれ、絶縁シート２３に保持される。尚、図６に示す積層シート２０Ｂから絶縁シート２３の一部が除去され、絶縁シート２３の残部が窓ガラスに使用されてもよい。第１ガラス板１１と第２ガラス板１２との接合強度が向上できる。
【００６３】
図７は、第３変形例による積層シートの正面図である。図７において、合わせガラスの位置を二点鎖線で示す。図７に示す積層シート２０Ｃは、図１に示す積層シート２０とは、窓ガラスの上中央部のみに導電線２１を有する点で異なる。図７に示す積層シート２０Ｃは、図１に示す積層シート２０または図５に示す積層シート２０Ａと共に用いられてもよい。尚、図７に示す積層シート２０Ｃから絶縁シート２３の一部が除去され、絶縁シート２３の残部が窓ガラスに使用されてもよい。第１ガラス板１１と第２ガラス板１２との接合強度が向上できる。
【００６４】
図８は、第４変形例による積層シートの正面図であって、図８（ａ）は積層シートと第１ガラス板上の導電線との接合前の状態を示し、図８（ｂ）は積層シートと第１ガラス板上の導電線との接合後の状態を示す。図８に示す積層シート２０Ｄは、図１に示す積層シート２０とは、導電層として給電電極２２のみを含む点で相違する。すなわち、導電線２１は、第１ガラス板１１の表面に金属ペーストの焼成などにより形成されていてよく、積層シート２０Ｄとは独立している。この場合、給電電極２２をガラス板上での導電ペーストの焼成よって形成する場合に比べ、導電ペーストとの熱膨張差に起因するガラス板の応力を低減できる。
【００６５】
第１ガラス板１１の表面に、導電線２１が形成される。また積層シート２０Ｄは、絶縁シート２３と給電電極２２とを備える。積層シート２０Ｄは、第１ガラス板１１と第２ガラス板１２の間に配置される。その際、導電線２１と給電電極２２とは電気的に接続される。また、絶縁シート２３は、貫通穴２３ａを備え、貫通穴２３ａには中間膜１３が入り込み、中間膜１３は貫通穴２３ａなどを通じて第１ガラス板１１と第２ガラス板１２とを接合する。これにより、絶縁シート２３を強固に保持でき、絶縁シート２３が合わせガラス１０の内部から外部に引き抜かれることを防止できる。
【００６６】
貫通穴２３ａは、特に、導電線２１がデアイサーやデフォッガーとして用いられる場合に好適に用いられる。その理由は、以下による。すなわち、導電線２１がデアイサーやデフォッガーとして用いられる場合、導電線２１がアンテナ線として用いられる場合と比較して、給電電極２２の厚みは厚いことが求められる。給電電極２２の厚みが厚いと、給電電極２２の周囲において、中間膜１３が第１ガラス板１１と第２ガラス板１２とを充分に接合できず、積層シート２０は合わせガラスから引き抜かれやすい又はぐらつきやすいという懸念がある。貫通穴２３ａにより、この懸念を低減できる。
【００６７】
また、特に貫通穴２３aは、隣り合う複数の給電電極２２の間に形成されてよい。給電電極２２の付近において、第１ガラス板１１と第２ガラス板１２との接合強度が向上できる。
【００６８】
また、貫通穴２３ａの少なくとも一部は、合わせガラス１０の周縁領域に位置してもよい。これにより、給電電極２２が絶縁シート２３と共に合わせガラス１０の内部から外部に取り出される場合、合わせガラス１０に対する絶縁シート２３の取出位置のぐらつきが抑制できる。
【００６９】
図８に示す合わせガラスは、例えば下記（Ｄ）〜（Ｆ）の工程により得られる。下記（Ｄ）〜（Ｆ）の工程は、この順で実施される。（Ｄ）第１ガラス板１１の表面に、金属ペーストの焼成などによって導電線２１を形成する。（Ｅ）図８に示す積層シート２０Ｄから、図３に示す一方の絶縁シート２３の一部および剥離剤層２６の一部を除去して導電性の接合層２４を露出させる。（Ｆ）導電性の接合層２４を介して導電線２１の給電部と給電電極２２とを接合する。これにより、積層シート２０Ｄ付きの第１ガラス板１１が得られる。積層シート２０Ｄ付きの第１ガラス板１１は、積層工程Ｓ１１に供される。
【００７０】
尚、導電線２１は、第１ガラス板１１の表面に形成されるが、第２ガラス板１２の表面に形成されてもよい。この場合、第２ガラス板１２上の導電線２１は、接合層２４を介して給電電極２２と接合される。この場合、積層シート２０Ｄ付きの第２ガラス板１２が積層工程Ｓ１１に供される。
【００７１】
なお、導電線２１は、接合層２４を介さずに給電電極２２と接触してもよい。例えば、導電線２１と給電電極２２とは直接接触してもよく、はんだなどの導電層を介して接触してもよい。
【００７２】
また、上記実施形態の積層シート２０およびその変形例の積層シート２０Ａ、２０Ｂ、２０Ｃは、合わせガラス１０を加熱する発熱シートであるが、外部からの電波を受信するアンテナシートであってもよい。アンテナシートの場合、導電線２１の片側の端部のみに給電電極２２が形成されてよい。
【００７３】
また、上記実施形態およびその変形例の絶縁シート２３の一部は、給電電極２２と共に合わせガラス１０の内部から外部に取り出されるが、導電線２１と共に合わせガラス１０の内部から外部に取り出されてもよい。
【００７４】
また、上記実施形態およびその変形例の導電層は、導電線２１と給電電極２２の両方を有するが、導電線２１のみを有してもよい。導電線２１は、外部電極から給電されてよい。
【００７５】
また、上記実施形態およびその変形例では、特許請求の範囲に記載の合わせ板として、ガラス板同士を中間膜で接合したものが用いられるが、樹脂板同士を中間膜で接合したものが用いられてもよいし、ガラス板と樹脂板とを中間膜で接合したものが用いられてもよい。つまり、特許請求の範囲に記載の第１透明板は、ガラス板、樹脂板のいずれでもよい。また、特許請求の範囲に記載の第２透明板は、ガラス板、樹脂板のいずれでもよい。
【符号の説明】
【００７６】
１０  合わせガラス
１１  第１ガラス板
１２  第２ガラス板
１３  中間膜
２０  積層シート
２１  導電線
２１ａ、２１ｂ  線状部
２１ｃ  折返し部
２２  給電電極
２３  絶縁シート
２３ａ  貫通穴
【図１】
2020186169.tif 000003
【図２】
2020186169.tif 000004
【図３】
2020186169.tif 000005
【図４】
2020186169.tif 000006
【図５】
2020186169.tif 000007
【図６】
2020186169.tif 000008
【図７】
2020186169.tif 000009
【図８】
2020186169.tif 000010